(57)【要約】【課題】  車輪をスムーズに使用することができるとともに、車輪自体の使用機能を向上させることができる２段階位置決め機能を有する車輪セットを提供する。【解決手段】  ２段階位置決め機能を有する車輪セットは、本体１、制御セット２、第１の固定セット３、第２の固定セット４及び軸体５を備える。本体１は、車輪セットを取り付ける支持体として用い、フレーム１１及び車輪１２を有し、フレーム１１の左右両側には、車輪１２がそれぞれ枢着され、制御セット２、第１の固定セット３、第２の固定セット４及び軸体５が内部に配置されている。制御セット２は、ユーザが操作して車輪１２を制御することが可能であり、フレーム１１の側部に配置され、旋回規制制御ブロック２１、第１の位置決め端部２２、第２の位置決め端部２３、内槽２４、ブレーキ位置決め制御ブロック２５及びトップブロック２６を有する。【選択図】  図１
0003163909.tif 000002
【実用新案登録請求の範囲】
【請求項１】
本体、制御セット、第１の固定セット、第２の固定セット及び軸体を備える２段階位置決め機能を有する車輪セットであって、
前記本体は、前記車輪セットを取り付ける支持体として用い、フレーム及び車輪を有し、前記フレームの左右両側には、前記車輪がそれぞれ枢着され、前記制御セット、前記第１の固定セット、前記第２の固定セット及び前記軸体が内部に配置され、
前記制御セットは、ユーザが操作して前記車輪を制御することが可能であり、前記フレームの側部に配置され、旋回規制制御ブロック、第１の位置決め端部、第２の位置決め端部、内槽、ブレーキ位置決め制御ブロック及びトップブロックを有し、前記旋回規制制御ブロックは、前記フレームに枢着され、前記旋回規制制御ブロックの下方には、前記第１の位置決め端部及び前記第２の位置決め端部がそれぞれ配置され、前記第１の位置決め端部及び前記第２の位置決め端部は、前記第１の固定セットの可動ブロック上に設けられた第１の凹部及び第２の凹部上にそれぞれ係合され、前記旋回規制制御ブロックには、前記ブレーキ位置決め制御ブロックが枢着される内槽が設けられ、前記ブレーキ位置決め制御ブロックは、端部に設けられた前記トップブロックを有し、前記制御セットの下方に前記第１の固定セットが取り付けられ、
前記第１の固定セットは、前記フレーム内に配置され、前記可動ブロック、底板、弾片及び突起端を有し、前記可動ブロックは、前記底板上に固設され、上部に設けられた前記第１の凹部及び前記第２の凹部を有し、前記第１の凹部及び前記第２の凹部には、前記制御セットの前記第１の位置決め端部と前記第２の位置決め端部とがそれぞれ係合され、前記底板は、前記フレーム内に枢着され、前記フレームに当接される前記弾片を有し、前記底板の端部には、前記突起端が設けられ、前記第１の固定セットの他方の端部には、前記フレーム内で前記第２の固定セットが配置され、
前記第２の固定セットは、前記フレーム内に配置され、プッシャ、押し面、傾斜凹部、弾性部材、スライドブロック、スライド溝、貫通孔及び位置決め軸を有し、前記プッシャは、前記フレーム内に配置され、側面上に設けられた前記押し面と、両側に設けられた前記傾斜凹部と、を有し、前記プッシャ上に配置された前記弾性部材により、前記制御セットの前記トップブロックを支えるように、前記スライドブロックが配置され、前記スライドブロックの内側に設けられた前記スライド溝は、前記傾斜凹部に対応し、前記スライドブロック上には、前記位置決め軸が枢着される前記貫通孔が設けられ、前記位置決め軸は、前記スライドブロックの移動に伴って前記軸体の環設孔に着脱可能に貫設され、
前記軸体は、前記フレーム内に配置され、枢軸、位置決め盤、位置規制盤及び嵌合溝を有し、前記枢軸は、前記フレーム内に配置され、ベビーチェア、病人用ベッド、車椅子などの医療設備が上端に接続され、前記枢軸には、前記位置決め盤が配置され、前記位置決め盤内には、前記第２の固定セットの前記位置決め軸を貫設させる複数の前記環設孔が設けられ、前記枢軸の末端部に配置された前記位置規制盤は、前記枢軸に連動して回動し、前記位置規制盤上に設けた前記嵌合溝は、前記第１の固定セットの前記突起端に対応し、前記嵌合溝内に前記突起端を嵌入すると、前記車輪の方向が固定されることを特徴とする２段階位置決め機能を有する車輪セット。
【請求項２】
前記本体の前記フレームには、前記制御セットの前記ブレーキ位置決め制御ブロックを配置する円弧孔が設けられ、
前記ブレーキ位置決め制御ブロックには、前記フレーム上に設けた前記円弧孔に貫設する潤滑軸が枢着されていることを特徴とする請求項１に記載の２段階位置決め機能を有する車輪セット。
【請求項３】
前記第１の固定セットの前記底板は、前記車輪セットの底部を保護するために、下方に配置されたベースシェルを有することを特徴とする請求項１に記載の２段階位置決め機能を有する車輪セット。
【考案の詳細な説明】
【技術分野】
【０００１】
本考案は、２段階位置決め機能を有する車輪セットに関し、特に、ベビーチェア、病人用ベッド、車椅子などの医療設備に利用することができる車輪構造に関する。
【背景技術】
【０００２】
従来の位置決め機能及びブレーキ装置を備える車輪（例えば、特許文献１）は、車輪フレーム、位置決めセット、転動セット、車輪セットを含む。車輪フレームは、本体を有する。この本体は、転動セットを配置するために用いる貫通孔と、位置決めセットを配置するために用いる凹部と、を有する。本体の下方中央部には、車輪セットを取り付けるために用いるシャフト孔が設けられている。転動セットは、車輪フレームの貫通孔にそれぞれ配置するスピンドル、固定ブロック、上軸受、下軸受を含む。車輪セットは、輪軸と、車輪フレームの両側に配置された車輪と、を含む。
【０００３】
特許文献１の位置決め機能及びブレーキ装置を備える車輪は、以下の改良点を有する。位置決めセットは、車輪フレームの凹部内にそれぞれ配置する押圧ブロック、水平スライドブロック、位置決めブロック及び弾性体を含む。位置決めセットの押圧ブロックを押下げると、車輪フレームの凹部のスライド溝に沿って移動し、車輪セットの車輪に係合され、車輪フレームの本体の係合ブロックにより押圧ブロックの一端を固定するとともに、位置決めセットの弾性体が弾力をリリースし、水平ブロックが押し出され、位置決めブロックの位置決めバンプを水平スライドの傾斜凹部の方向に沿うように上方へ移動させ、車輪フレームの貫通孔の位置決め孔に、位置決めブロックの位置決めピンを貫設すると、転動セットの固定ブロックの固定孔に固定され、転動セットの位置決めを行うことができる。
【０００４】
しかし、上述の特許文献１の車輪セットは、位置決めセットを介し、動力を伝達して車輪を固定させることができるが、その固定方式は、車輪セットを直接位置決めするだけであるため、操作の自由度が低いという問題がある。
【特許文献１】台湾実用新案登録第３５５８３２号公報
【考案の開示】
【考案が解決しようとする課題】
【０００５】
本考案の目的は、本体のフレーム内に制御セット、第１の固定セット、第２の固定セット及び軸体を配置することにより、車輪の方向を制御して位置決めを完全に行い、２段階制御構造を形成することにより、車輪をスムーズに使用することができるとともに、車輪自体の使用機能を向上させることができる２段階位置決め機能を有する車輪セットを提供することにある。
【課題を解決するための手段】
【０００６】
上記課題を解決するために、本考案の第１の形態によれば、本体、制御セット、第１の固定セット、第２の固定セット及び軸体を備える２段階位置決め機能を有する車輪セットであって、前記本体は、前記車輪セットを取り付ける支持体として用い、フレーム及び車輪を有し、前記フレームの左右両側には、前記車輪がそれぞれ枢着され、前記制御セット、前記第１の固定セット、前記第２の固定セット及び前記軸体が内部に配置され、
前記制御セットは、ユーザが操作して前記車輪を制御することが可能であり、前記フレームの側部に配置され、旋回規制制御ブロック、第１の位置決め端部、第２の位置決め端部、内槽、ブレーキ位置決め制御ブロック及びトップブロックを有し、前記旋回規制制御ブロックは、前記フレームに枢着され、前記旋回規制制御ブロックの下方には、前記第１の位置決め端部及び前記第２の位置決め端部がそれぞれ配置され、前記第１の位置決め端部及び前記第２の位置決め端部は、前記第１の固定セットの可動ブロック上に設けられた第１の凹部及び第２の凹部上にそれぞれ係合され、前記旋回規制制御ブロックには、前記ブレーキ位置決め制御ブロックが枢着される内槽が設けられ、前記ブレーキ位置決め制御ブロックは、端部に設けられた前記トップブロックを有し、前記制御セットの下方に前記第１の固定セットが取り付けられ、
前記第１の固定セットは、前記フレーム内に配置され、前記可動ブロック、底板、弾片及び突起端を有し、前記可動ブロックは、前記底板上に固設され、上部に設けられた前記第１の凹部及び前記第２の凹部を有し、前記第１の凹部及び前記第２の凹部には、前記制御セットの前記第１の位置決め端部と前記第２の位置決め端部とがそれぞれ係合され、前記底板は、前記フレーム内に枢着され、前記フレームに当接される前記弾片を有し、前記底板の端部には、前記突起端が設けられ、前記第１の固定セットの他方の端部には、前記フレーム内で前記第２の固定セットが配置され、
前記第２の固定セットは、前記フレーム内に配置され、プッシャ、押し面、傾斜凹部、弾性部材、スライドブロック、スライド溝、貫通孔及び位置決め軸を有し、前記プッシャは、前記フレーム内に配置され、側面上に設けられた前記押し面と、両側に設けられた前記傾斜凹部と、を有し、前記プッシャ上に配置された前記弾性部材により、前記制御セットの前記トップブロックを支えるように、前記スライドブロックが配置され、前記スライドブロックの内側に設けられた前記スライド溝は、前記傾斜凹部に対応し、前記スライドブロック上には、前記位置決め軸が枢着される前記貫通孔が設けられ、前記位置決め軸は、前記スライドブロックの移動に伴って前記軸体の環設孔に着脱可能に貫設され、
前記軸体は、前記フレーム内に配置され、枢軸、位置決め盤、位置規制盤及び嵌合溝を有し、前記枢軸は、前記フレーム内に配置され、ベビーチェア、病人用ベッド、車椅子などの医療設備が上端に接続され、前記枢軸には、前記位置決め盤が配置され、前記位置決め盤内には、前記第２の固定セットの前記位置決め軸を貫設させる複数の前記環設孔が設けられ、前記枢軸の末端部に配置された前記位置規制盤は、前記枢軸に連動して回動し、前記位置規制盤上に設けた前記嵌合溝は、前記第１の固定セットの前記突起端に対応し、前記嵌合溝内に前記突起端を嵌入すると、前記車輪の方向が固定されることを特徴とする２段階位置決め機能を有する車輪セット
が提供される。
【０００７】
前記本体の前記フレームには、前記制御セットの前記ブレーキ位置決め制御ブロックを配置する円弧孔が設けられ、前記ブレーキ位置決め制御ブロックには、前記フレーム上に設けた前記円弧孔に貫設する潤滑軸が枢着されていることが好ましい。
【０００８】
前記第１の固定セットの前記底板は、前記車輪セットの底部を保護するために、下方に配置されたベースシェルを有することが好ましい。
【考案の効果】
【０００９】
本考案の２段階位置決め機能を有する車輪セットは、車輪をスムーズに使用することができるとともに、車輪自体の使用機能を向上させることができる。
【図面の簡単な説明】
【００１０】
【図１】本考案の一実施形態による２段階位置決め機能を有する車輪セットを示す分解斜視図である。
【図２】本考案の一実施形態による２段階位置決め機能を有する車輪セットを示す断面図である。
【図３】本考案の一実施形態による２段階位置決め機能を有する車輪セットの第２の固定セットを示す斜視図である。
【図４】本考案の一実施形態による２段階位置決め機能を有する車輪セットが１段目の固定を行う状態を示す断面図である。
【図５】本考案の一実施形態による２段階位置決め機能を有する車輪セットが２段目の固定を行う状態を示す断面図である。
【考案を実施するための形態】
【００１１】
以下、本考案の実施形態について図面に基づいて説明する。なお、これによって本考案が限定されるものではない。
【００１２】
図１を参照する。図１に示すように、本考案の一実施形態による２段階位置決め機能を有する車輪セットは、本体１、制御セット２、第１の固定セット３、第２の固定セット４及び軸体５を含む。
【００１３】
本体１は、車輪セットを取り付ける支持体として用い、フレーム１１及び車輪１２を含む。フレーム１１の左右両側には、車輪１２がそれぞれ枢着されている。フレーム１１は、制御セット２、第１の固定セット３、第２の固定セット４及び軸体５を内部に配置させるために用いる円弧状の円弧孔１１１が適宜な箇所に設けられている。
【００１４】
図１及び図２を参照する。図１及び図２に示すように、制御セット２は、ユーザが操作して車輪１２を制御することが可能であり、フレーム１１の側部に配置され、旋回規制制御ブロック２１、第１の位置決め端部２２、第２の位置決め端部２３、内槽２４、ブレーキ位置決め制御ブロック２５、トップブロック２６及び潤滑軸２７を含む。旋回規制制御ブロック２１は、フレーム１１上の一点を中心に回動させることができるように、フレーム１１に枢着されている。旋回規制制御ブロック２１の下方には、第１の位置決め端部２２及び第２の位置決め端部２３がそれぞれ配置されている。第１の位置決め端部２２及び第２の位置決め端部２３は、第１の固定セット３の可動ブロック３１上に設けられた第１の凹部３１１及び第２の凹部３１２上にそれぞれ係合されている。旋回規制制御ブロック２１には、ブレーキ位置決め制御ブロック２５が枢着される内槽２４が設けられている。ブレーキ位置決め制御ブロック２５は、潤滑軸２７と、端部に設けられたトップブロック２６と、を有する。潤滑軸２７は、本体１のフレーム１１上の円弧孔１１１中に貫設され、フレーム１１内には、制御セット２の下方に第１の固定セット３が取り付けられている。
【００１５】
第１の固定セット３は、フレーム１１の内側底部に配置され、制御セット２を押し動かすと車輪１２の回動が制御され、可動ブロック３１、底板３２、弾片３３及び突起端３４を含む。可動ブロック３１は、底板３２上に固設され、上部に設けられた第１の凹部３１１及び第２の凹部３１２を有する。第１の凹部３１１及び第２の凹部３１２は、制御セット２の第１の位置決め端部２２と第２の位置決め端部２３とをそれぞれ係合させるために用いる。底板３２は、軸心によりフレーム１１内に枢着され、車輪セットの底部を保護するために、ベースシェル３２１が下方に配置されている。底板３２上には、フレーム１１に当接される弾片３３が配置されている。底板３２の端部には、突起端３４が設けられている。そのため、第１の位置決め端部２２及び第２の位置決め端部２３により可動ブロック３１が押されると、底板３２が駆動され、枢着された軸心を中心に若干回転する。これにより、弾片３３が圧縮の力を受けると、軸体５の嵌合溝５４の中に突起端３４が嵌入され、第１の固定セット３の他方の端部には、フレーム１１内で第２の固定セット４が配置される。
【００１６】
第２の固定セット４は、フレーム１１内に配置され、制御セット２を押し動かすと、車輪１２が固定され、プッシャ４１、押し面４２、傾斜凹部４３、弾性部材４４、スライドブロック４５、スライド溝４６、貫通孔４７及び位置決め軸４８を含む。図１〜図３を参照する。図１〜図３に示すように、プッシャ４１は、フレーム１１内に配置され、側面上に設けられた押し面４２と、両側に設けられた傾斜凹部４３と、を有する。プッシャ４１上に配置された弾性部材４４により、制御セット２のトップブロック２６を支えるように、スライドブロック４５が配置されている。スライドブロック４５の内側に設けられたスライド溝４６は、傾斜凹部４３に対応し、スライドブロック４５上には、位置決め軸４８が枢着される貫通孔４７が設けられている。位置決め軸４８は、スライドブロック４５の移動に伴って軸体５の環設孔５２１に着脱可能に貫設される。
【００１７】
図１及び図２を参照する。図１及び図２に示すように、軸体５は、フレーム１１内に配置され、第１の固定セット３及び第２の固定セット４により車輪１２を制御し、２段階の位置決めを行うことができ、枢軸５１、位置決め盤５２、位置規制盤５３及び嵌合溝５４を含む。枢軸５１は、フレーム１１内に配置され、ベビーチェア、病人用ベッド、車椅子などの医療設備を上端に接続するために用いる。枢軸５１は、車輪１２の方向に対応し、フレーム１１内で３６０度回動することができる。枢軸５１は、フレーム１１上に配置された位置決め盤５２を有する。位置決め盤５２内には、複数の環設孔５２１が設けられている。環設孔５２１は、第２の固定セット４の位置決め軸４８を貫設させ、車輪１２を固定するために用いる。枢軸５１の末端部に配置された位置規制盤５３は、枢軸５１に連動して回動する。位置規制盤５３上に設けた嵌合溝５４は、第１の固定セット３の突起端３４に対応し、嵌合溝５４内に突起端３４を嵌入すると、車輪１２の方向を固定させることができる。
【００１８】
図２を参照する。図２に示すように、本実施形態の２段階位置決め機能を有する車輪セットは、制御セット２を緩めると、制御セット２の旋回規制制御ブロック２１の端部に設けられた第１の位置決め端部２２が、第１の固定セット３の可動ブロック３１上に設けられた第１の凹部３１１に係合され、本体１のフレーム１１内で底板３２上の弾片３３を当接させることにより、底板３２の端部に設けられた突起端３４と、軸体５の位置規制盤５３との間隔を所定距離に保持することができる。即ち、第２の固定セット４のプッシャ４１の側部に配置された弾性部材４４は、自然に回復する弾性力により、制御セット２のブレーキ位置決め制御ブロック２５の端部に設けられたトップブロック２６上にプッシャ４１が押されるとともに（図３を同時に参照する）、プッシャ４１の弾性部材４４がトップブロック２６により支えられて回復する空間が制限されるため、プッシャ４１の両側に設けた傾斜凹部４３上に接続されたスライドブロック４５の移動範囲が制限され、傾斜凹部４３の中に密着される。これにより、スライドブロック４５上の位置決め軸４８と、軸体５の位置決め盤５２内の環設孔５２１との間隔を所定距離に保持することができる。そのため、軸体５の位置決め盤５２及び位置規制盤５３のそれぞれが固定されたり制限されたりし、本実施形態の２段階位置決め機能を有する車輪セットを３６０度回動させることができる。
【００１９】
図４を参照する。図４に示すように、本実施形態の２段階位置決め機能を有する車輪セットは、制御セット２の１段目が固定された状態であり、制御セット２の旋回規制制御ブロック２１の外側を押圧すると、旋回規制制御ブロック２１の端部に設けられた第１の位置決め端部２２が第１の凹部３１１から外れて第２の位置決め端部２３を前方へ移動させ、可動ブロック３１上の第２の凹部３１２内に係合させる。第２の位置決め端部２３が第２の凹部３１２に係合されると、第２の位置決め端部２３が可動ブロック３１に加える押す力により、底板３２に設けられた弾片３３が圧縮され、軸体５の位置規制盤５３上に、底板３２の端部に設けられた突起端３４が当接される。続いて、位置規制盤５３は、枢軸５１の動きに連動して回動し、嵌合溝５４が突起端３４と位置が合うと、嵌合溝５４の中に突起端３４が嵌入される。これにより、車輪１２の１段目の回転方向を固定させることができる。
【００２０】
図５を参照する。図５に示すように、本実施形態の２段階位置決め機能を有する車輪セットは、制御セット２の２段目が固定された状態で、制御セット２のブレーキ位置決め制御ブロック２５の外側を押圧すると、ブレーキ位置決め制御ブロック２５上の潤滑軸２７が押圧方向に沿って円弧孔１１１中で可動する。ブレーキ位置決め制御ブロック２５の端部のトップブロック２６は、第２の固定セット４のプッシャ４１の側部に設けられた押し面４２に沿って上方へ移動するため、弾性部材４４が自然に回復する弾性力により、フレーム１１内のブレーキ位置決め制御ブロック２５に向かってプッシャ４１を押圧すると（図３を同時に参照する）、プッシャ４１の両側に設けられた傾斜凹部４３により、スライドブロック４５のスライド溝４６が回復力により外れる。そのため、スライドブロック４５が傾斜凹部４３から外れると、傾斜凹部４３に沿ってスライドブロック４５が移動し、位置決め盤５２内に設けられた環設孔５２１の中に位置決め軸４８が貫設されると車輪が完全に固定され、車輪１２の２段目の固定を行うことができる。
【００２１】
本実施形態の２段階位置決め機能を有する車輪セットは、第１の固定セット３により１段目の位置決めを行うとき、制御セット２の旋回規制制御ブロック２１により可動ブロック３１を押すと、底板３２の突起端３４が駆動されて軸体５の嵌合溝５４の中に嵌入され、これにより１段目の位置決めを行う。２段目の位置決めを行うときは、制御セット２のブレーキ位置決め制御ブロック２５を介し、プッシャ４１を制御することができる。プッシャ４１の側部には弾性部材４４が配置されている。弾性部材４４は、自然に回復する弾性力により、ブレーキ位置決め制御ブロック２５上のトップブロック２６をプッシャ４１で支える。そのため、プッシャ４１により支えることができる範囲までブレーキ位置決め制御ブロック２５が移動すると、プッシャ４１によりスライドブロック４５上の位置決め軸４８が駆動され、軸体５の位置決め盤５２上に設けられた環設孔５２１の中に位置決め軸４８が貫設されて車輪が完全に固定され、２段目の位置決めを行うことができる。このように、本考案は、２段階位置決め機能により、車輪セット全体をスムーズに使用することができるとともに、実用性を向上させることもできる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  本体
２  制御セット
３  第１の固定セット
４  第２の固定セット
５  軸体
１１  フレーム
１２  車輪
２１  旋回規制制御ブロック
２２  第１の位置決め端部
２３  第２の位置決め端部
２４  内槽
２５  ブレーキ位置決め制御ブロック
２６  トップブロック
２７  潤滑軸
３１  可動ブロック
３２  底板
３３  弾片
３４  突起端
４１  プッシャ
４２  押し面
４３  傾斜凹部
４４  弾性部材
４５  スライドブロック
４６  スライド溝
４７  貫通孔
４８  位置決め軸
５１  枢軸
５２  位置決め盤
５３  位置規制盤
５４  嵌合溝
１１１  円弧孔
３１１  第１の凹部
３１２  第２の凹部
３２１  ベースシェル
５２１  環設孔
【図１】
0003163909.tif 000003
【図２】
0003163909.tif 000004
【図３】
0003163909.tif 000005
【図４】
0003163909.tif 000006
【図５】
0003163909.tif 000007